(57)【要約】【課題】  従来に無い斬新な演出により、遊技性の幅を拡げることができ、遊技者の興味が削がれてしまうことを防止することができる。【解決手段】  弾球遊技機は、主制御装置と、フォトダイオード６８と、可変表示装置３４と、表示体回転駆動装置１７ｄと、を備える。主制御装置は、表示制御信号を出力する。フォトダイオード６８は、遊技盤に対して固定され、主制御装置から出力された表示制御信号を送信する。可変表示装置３４は、遊技盤の盤面に対して略平行な回転軸６９を中心として回転自在に設けられ、表示部７６と、フォトトランジスタ７５と、制御基板と、を有する。フォトトランジスタ７５は、フォトダイオード６８から発信された表示制御信号を受信する。制御基板は、フォトトランジスタ７５が受信した表示制御信号に応じて表示部７６に識別情報を表示させる。表示体回転駆動装置１７ｄは、可変表示装置３４を回転駆動する。【選択図】  図６
2006212094.tif 000002
【特許請求の範囲】
【請求項１】
遊技盤の盤面上に遊技球を発射して遊技する弾球遊技機であって、
表示制御信号を出力する制御手段と、
前記遊技盤に対して固定され、前記制御手段から出力された表示制御信号を送信する送信手段と、
前記遊技盤の盤面に対して略平行な回転軸を中心として回転自在に設けられ、表示部と、前記送信手段から発信された表示制御信号を受信する受信手段と、当該受信手段が受信した表示制御信号に応じて前記表示部に識別情報を表示させる表示制御手段と、を有する表示装置と、
前記表示装置を回転駆動する駆動手段と、を備えた
ことを特徴とする弾球遊技機。
【請求項２】
請求項１に記載の弾球遊技機であって、
前記送信手段と前記受信手段とは、非接触状態で前記表示制御信号の送受信を行う
ことを特徴とする弾球遊技機。
【請求項３】
請求項２に記載の弾球遊技機であって、
前記送信手段と前記受信手段とは、光通信によって前記表示制御信号の送受信を行う
ことを特徴とする弾球遊技機。
【請求項４】
請求項１〜請求項３の何れかに記載の弾球遊技機であって、
前記制御手段は、表示駆動制御信号を出力し、
前記駆動手段は、前記表示駆動制御信号に応じて前記表示装置を回転駆動する
ことを特徴とする弾球遊技機。
【発明の詳細な説明】
【技術分野】
【０００１】
本発明は、弾球遊技機等の遊技機に関する。
【背景技術】
【０００２】
一般に、パチンコ遊技機等の弾球遊技機には、ハンドル操作によって遊技球を発射する発射装置が設けられ、この発射装置によって発射された遊技球が特定入賞口（始動入賞口）を通過するのに応じて、表示装置に表示される特別図柄の変動（電子的な当否抽選）が開始される。そして、当否抽選の結果当選した場合には、表示装置に所定の特別図柄の組み合わせが表示され、遊技者にとって有利な大当たり遊技状態が生起される。大当たり遊技状態では、特別入賞口（大入賞口）が開閉して遊技球を受け入れるので、遊技者は多くの賞球を獲得することができる。
【０００３】
【特許文献１】特開平１１−１６４９４７号公報
【特許文献２】特開２００３−１１７０８８号公報
【発明の開示】
【発明が解決しようとする課題】
【０００４】
ところで、従来の弾球遊技機の表示装置は、遊技盤に対して固定された表示画面に特別図柄を変動及び停止表示するタイプと、外周面に特別図柄が印刷された回胴を回転及び停止するタイプの二種類に大別される。このため、遊技者にとって斬新な態様によって特別図柄の変動及び停止表示を行うことが難しく、遊技が単調となり、遊技を進めていくうちに遊技者の興味が削がれてしまう可能性があった。
【０００５】
本発明は、上記課題を解決するためになされたものであり、その目的は、遊技性の幅を拡げることができ、遊技者の興味が削がれてしまうことを防止することができる弾球遊技機を提供することにある。
【課題を解決するための手段】
【０００６】
上記目的を達成するため、本発明は、遊技盤の盤面上に遊技球を発射して遊技する弾球遊技機であって、制御手段と、送信手段と、表示装置と、駆動手段と、を備える。制御手段は、表示制御信号を出力する。送信手段は、遊技盤に対して固定され、制御手段から出力された表示制御信号を送信する。表示装置は、遊技盤の盤面に対して略平行な回転軸を中心として回転自在に設けられ、表示部と、受信手段と、表示制御手段と、を有する。受信手段は、送信手段から発信された表示制御信号を受信する。表示制御手段は、受信手段が受信した表示制御信号に応じて表示部に識別情報を表示させる。駆動手段は、表示装置を回転駆動する。
【０００７】
上記構成では、表示装置が盤面に対して略平行な回転軸を中心として回転自在に設けられ、駆動手段は、表示装置を回転駆動し、表示制御手段は、制御手段から出力された表示制御信号に応じて表示装置の表示部に識別情報を表示する。表示装置を回転駆動することにより、表示装置の回転角度が変化する。すなわち、表示装置の表示部が、視認できる状態と、視認し難い状態と、視認できない状態と、の何れかに変化する。そして、表示装置の回転角度が変化しているときに、表示装置の表示部に識別情報を変動表示することにより、表示部の視認性を変化させると共に表示部の表示内容も変化させることができる。従って、従来までの弾球遊技機には無い斬新な演出や、意外性のある演出や、表示装置の表示部の表示内容と表示装置の回転運動とを同調又は調和させた演出などを行うことが可能となり、遊技者の興味が削がれてしまうことを防止することができる。
【０００８】
また、送信手段と受信手段とは、非接触状態で表示制御信号の送受信を行ってもよい。
【０００９】
上記構成では、送信手段と受信手段とが接触することなく表示制御信号の送受信を行うので、送信手段と受信手段とは、表示装置の回転運動を妨げることがない。このため、表示装置は、同一方向に連続的に回転することができる。従って、同一方向に連続的に回転することができる表示装置の回転運動と、表示装置の表示部の表示内容と、を同調又は調和させた演出を行うことが可能となり、遊技性の幅を拡げることができる。
【００１０】
また、送信手段と受信手段とは、光通信によって表示制御信号の送受信を行ってもよい。
【００１１】
上記構成では、送信手段と受信手段とが光通信によって表示制御信号の送受信を行うため、係る送受信の際にノイズは発生しない。従って、他の装置に対して悪影響を及ぼすことなく、表示装置を回転させると共に表示装置の表示部に識別情報を表示させることが可能となる。
【００１２】
また、制御手段は、表示駆動制御信号を出力してもよく、駆動手段は、表示駆動制御信号に応じて表示装置を回転駆動してもよい。
【００１３】
上記構成では、駆動手段は、制御手段が出力した表示駆動制御信号に応じて表示装置を回転駆動する。
【発明の効果】
【００１４】
本発明に係る弾球遊技機によれば、遊技性の幅を拡げることができ、遊技者の興味が削がれてしまうことを防止することができる。
【発明を実施するための最良の形態】
【００１５】
以下、図面を参照して、遊技機設置営業店等の場所に設置され、遊技媒体（例えば、遊技球やメダル等）の供給に基づいて遊技者に遊技を行わせる遊技機（例えば、弾球遊技機や回胴式遊技機）の構成及び動作について説明する。
【００１６】
［第１実施形態］
なお、本実施形態では、図１に示すような、現金等の対価を支払って遊技機設置営業店から遊技者が購入したプリペイドカードをプリペイドカードユニット（以下、ＣＲユニットと称す）１に読み込ませることにより、遊技に使用する遊技球を借り受ける形態下で遊技者が遊技する遊技機の構成及び動作について説明する。より具体的には、この遊技機は、図３に示すように、借り受けた遊技球が予め定められた特定入賞口（スタートチャッカー、始動入賞口）２に受け入れられ入賞状態になった時に電子的な当否抽選を行い、抽選の結果が当選の場合には、通常の遊技状態から遊技者にとって有利な遊技状態となるように、特別入賞口（大入賞口）３を遊技球が入賞し易い状態にする弾球遊技機（以下、遊技機と称す）である。但し、本発明は、本実施形態の遊技機に拘らず、例えば、風俗営業の適正化等の規制及び業務の適性化等に関する法律（風営適正化法）及び同法施行規則において、パチンコ遊技機又は回胴式遊技機として区分されているものについても適用可能である。
【００１７】
［遊技機の構造概略］
本実施形態の遊技機は、外部的構造として、外枠（木枠）４、本体部材（本体）５、開口枠扉６、遊技盤７、球受皿付き扉８、球受皿９、回動式操作ハンドル（球発射ハンドル）１０、球貸し関係操作部１１、及び球受皿９用の貯留球排出操作ボタン１２等をその前面側に備えている。また、この遊技機は、内部的構造として、主制御装置１３、副制御装置１４、遊技球払出装置１５、球貸信号制御装置１６、可動物制御装置１７、回収通路部材１８、貯留タンク１９、遊技球を払い出すときに用いる通路部材（賞球口）２０、及びその他、電源供給装置２１、発射制御装置２２、発射駆動装置２３等をその後面側に備えている。
【００１８】
以下、図１〜図１３を参照して、本実施形態の遊技機の構成を、外部的構造、内部的構造、遊技領域の構成、及び電気的構成の順に詳しく説明する。
【００１９】
〔外部的構造〕
始めに、本実施形態の遊技機の外部的構造について説明する。
【００２０】
前記外枠４は、遊技機設置営業店に設けられた設置場所（島設備等）へと固定させるための縦長方形状から成る木製の枠部材である。
【００２１】
前記本体部材５は、外枠４の内部に備えられ、ヒンジ部２６を介して外枠４に回動自在に装着された縦長方形状の遊技機基軸体となる部材である。また、本体部材５は、枠状に形成され、内側に空間部を有している。
【００２２】
前記開口枠扉６は、ロック機能２５付きで且つ開閉自在となるように遊技機の前面側となる本体部材５の前面に対しヒンジ部２６を介して装着され、枠状に構成されることでその内側を開口部２７とした扉部材である。なお、この開口枠扉６には、開口部２７に対向してガラス製又は樹脂製の透明板部材２８が設けられ、さらに、開口部２７近傍には、電飾２９やスピーカ３０が取り付けられている。
【００２３】
前記遊技盤７は、その盤面５２に遊技領域３１を有し、本体部材５の空間部に臨むように、所定の固定部材を用いて本体部材５に着脱自在に装着されている。なお、遊技領域３１は、遊技盤７を本体部材５に装着した後、開口部２７から観察することができる。
【００２４】
前記球受皿付き扉８は、遊技機前面において本体部材５の下側に対して、ロック機能付きで且つ開閉自在となるように装着された扉部材である。なお、本実施形態では、球受皿付き扉８には以下の部材が取り付けられている。
（１）複数の遊技球が貯留可能で且つ、発射駆動装置２３へと遊技球を案内させる通路が設けられた球受皿９。
（２）発射駆動装置２３へと案内された遊技球を遊技盤７の盤面５２に設けられた遊技領域３１へと打ち出す操作を行う、遊技球の発射停止ボタン１０ａを備えた回動式操作ハンドル１０。
（３）プリペイドカード読み込み処理関係、及び遊技者が借り受ける遊技球（以下、貸球と称す）の貸し出し処理関係の指示を行うボタンを備えた球貸し関係操作部１１。
（４）球受皿９に貯留させた遊技球を遊技者が遊技球収集容器（俗称、ドル箱）へと排出させるための球受皿９用の貯留球排出操作ボタン１２。
【００２５】
〔内部的構造〕
次に、本実施形態の遊技機の内部的構造について説明する。
【００２６】
前記主制御装置１３は、本発明に係る制御手段として機能し、本体部材５若しくは遊技盤７又はこれらに備え付けられる支持部材等を介して設けられている。この主制御装置１３は、電気的な遊技制御の処理を行い、主要な処理情報を生成する。
【００２７】
前記副制御装置１４は、本体部材５若しくは遊技盤７又はこれらに備え付けられる支持部材等を介して設けられ、主制御装置１３が生成した処理情報に従って、所定の出力態様処理を実行させる制御を行う装置である。なお、詳しくは後述するが、副制御装置１４は、表示制御手段である図柄制御装置１４ａ、ランプ制御装置１４ｂ、音声制御装置１４ｃ、及び払出制御装置１４ｄを有する。
【００２８】
前記遊技球払出装置１５は、予め定められた入賞条件が成立するのに応じて遊技利益として所定数の遊技球を払出す（以下、賞球と称す）駆動源を備えた装置である。
【００２９】
前記球貸信号制御装置１６は、プリペイドカード読み込み処理関係、及び貸球の貸し出し処理関係の制御を行う装置である。
【００３０】
前記可動物制御装置１７は、主制御装置１３が生成した処理情報に従って、遊技領域３１内に配設された複数の可動物（例えば、可動片４４、可動扉４５、入賞領域振分物５３、表示装置である可変表示装置３４等）を作動状態にするための装置であり、複数の可動物に対応して個別に設けられている。なお、本実施形態の可動物制御装置１７は、可動片駆動装置１７ａ、可動扉駆動装置１７ｂ、入賞領域振分駆動装置１７ｃ、及び駆動手段である表示体回転駆動装置１７ｄを有する。
【００３１】
前記回収通路部材１８は、回動式操作ハンドル１０によって遊技盤７の盤面５２に設けられた遊技領域３１へと打ち出された遊技球を遊技盤７の裏側へと回収する通路（俗称、集合樋）となる部材である。
【００３２】
前記遊技球を払い出す時に用いる通路部材２０は、球受皿９に賞球又は貸球を案内する通路となる部材である。
【００３３】
前記電源供給装置２１は、電源が投入されるのに応じて遊技機内の各制御装置に対して電力を供給する装置である。
【００３４】
前記発射制御装置２２は、回動式操作ハンドル１０を介して遊技球を遊技領域３１へと打ち出す操作が行われた時に、発射作動間隔（例えば、１分間に遊技球を１００球発射させるようにする等）の制御と、回動式操作ハンドル１０の回動量に応じた遊技球の発射強度の調整を行う装置である。
【００３５】
前記発射駆動装置２３は、発射制御装置２２による打ち出し制御に応じて、遊技球の打ち出し駆動部を作動させ、遊技球を遊技領域３１へと打ち出す装置である。
【００３６】
〔遊技領域の構成〕
次に、本実施形態の遊技機の遊技領域３１の構成について説明する。
【００３７】
前記遊技領域３１は、遊技球を滑走させるガイドレール３２と遊技球規制レール３３によって略円形状となるように区画形成され、回動式操作ハンドル１０によって打ち出された遊技球の移動範囲を規制する領域である。なお、遊技球規制レール３３は前記ガイドレール３２に連続的に接続するように構成され、遊技盤７の盤面５２に配設されている。
【００３８】
また、遊技領域３１内には、ＬＥＤ（Light Emitting Diode）表示装置３５、所定入賞口（一般入賞口）３７、所定通過口（スルーチャッカー）３８，４６、アウト口３９、遊技釘（図示せず）、風車４０、特定保留数表示ランプ４１、通過保留数表示ランプ４２、演出用表示ランプ４３、中央構造物６１等が設けられている。
【００３９】
図６〜図１０に示すように、中央構造物６１は、構造物本体６２と前板部材６３と前部装飾板部材６４と装飾板６５と３組の可変表示部８４とを備える。
【００４０】
構造物本体６２は、略筒状の側壁部６６と側壁部６６の一端側（後端側）を塞ぐ後壁部６７とを有する。
【００４１】
遊技盤７には、構造物本体６２よりも僅かに大きい装着穴（図示せず）が形成されている。前方から装着穴内へ構造物本体６２を挿入した状態で、構造物本体６２が遊技盤７に対して固定される。係る状態において、遊技盤７の盤面５２と側壁部６６の前端とは、ほぼ平行となる。
【００４２】
前板部材６３は、ガラス製又は樹脂製の透明部材であり、その周縁部が側壁部６６の内面の前端側に着脱自在に固定されている。前部装飾板部材６４は、円弧状の下端部と直線状の上端部とを有し、該前部装飾板部材６４の前面部と下端部とが前板部材６３の後面部と側壁部６６の内面とに当接し、該前部装飾板部材６４の後側を隠すように配置され固定されている。
【００４３】
装飾板６５は、略板形状を有し、送信手段であるフォトダイオード６８を備え、その周縁部が側壁部６６の内面の略中間部に着脱自在に固定されている。装飾板６５の略中央部には、３つの略矩形状の開口部７３が各可変表示部８４に対応して略均等に並んで形成されている。フォトダイオード６８は、電流が流れると発光する発光素子であり、装飾板６５後面の開口部７３上部中央側に着脱自在に固定されている。
【００４４】
各可変表示部８４は、一対の回転軸６９と一対のブラシ７０と一対の軸受け７１と表示体回転駆動装置１７ｄと表示体７４とを備えている。各ブラシ７０は、略円形状の開口部を有し、該開口部の内側が回転軸６９の周縁部に擦るように接触して電源を供給する。各軸受け７１は、回転軸６９を回転自在に支持する。表示体回転駆動装置１７ｄは、ステッピングモータ等の駆動部材によって構成されており、出力軸（図示せず）を有し、主制御装置１３のＣＰＵ１３ａが出力した表示駆動制御信号に従って、出力軸を回転駆動する。各回転軸６９は、後述する表示体７４の枠部材８５の側面部７８略中央の固定穴７２に挿入されて着脱自在に固定されている。各回転軸６９は、ブラシ７０の開口部及び軸受け７１の開口部に挿入され、一方の回転軸６９の固定穴７２に挿入されていない端部は表示体回転駆動装置１７ｄの出力軸と接合される。
【００４５】
上記構成の可変表示部８４は、回転軸６９が略水平且つ盤面５２に対して略平行、且つ前方から視て開口部７３の中央と表示体７４の中央とが重なる状態で装飾板６５の後面に配置され、一対のブラシ７０と一対の軸受け７１と表示体回転駆動装置１７ｄとは装飾板６５の後面に着脱自在に固定されている。係る状態において、表示体７４は、回転軸６９を中心として回転自在であり、該表示体７４が開口部７３に接触することはない。なお、一対のブラシ７０と電源供給装置２１とは、図示しない配線によって電気的に接続され、フォトダイオード６８及び表示体回転駆動装置１７ｄと主制御装置１３とは、図示しない配線によって電気的に接続されている。
【００４６】
表示体７４は、可変表示装置（特別図柄表示装置）３４と受信手段であるフォトトランジスタ７５と表示制御手段である制御基板７７と枠部材８５と後板部材８６とを備える。枠部材８５は、略矩形枠形状を有し、その側面部７８略中央に略円形状の固定穴７２が形成されている。該枠部材８５は、その上面部７９中央後端側に略矩形状の切欠部を有し、該切欠部にはフォトトランジスタ７５が設けられている。フォトトランジスタ７５は、光を検出すると電流を流す受光素子である。可変表示装置３４は、略矩形板形状を有し、その前面に表示部７６を備え、その周縁部が枠部材８５の内面の前端側に着脱自在に固定されている。後板部材８６は、略矩形板形状を有し、その前面が枠部材８５の後端側に着脱自在に固定され、可変表示装置３４と枠部材８５と後板部材８６とは、基板収納部８７を区画形成する。制御基板７７は、基板収納部８７の可変表示装置３４側に配置され固定されている。該制御基板７７は、図示しない配線によってフォトトランジスタ７５と可変表示装置３４と回転軸６９とに接続され、回転軸６９から供給される電源によって動作し、フォトトランジスタ７５からの表示制御信号によって可変表示装置３４を制御する。なお、フォトダイオード６８とフォトトランジスタ７５とは、両者がほぼ対向し且つ非接触状態において、光通信による表示制御信号の送受信を行う。
【００４７】
ここで、表示体回転駆動装置１７ｄが出力軸を回転駆動した場合、出力軸の駆動力が回転軸６９及び表示体７４に加わるため、表示体回転駆動装置１７ｄは回転軸６９及び表示体７４を回転駆動する。すなわち、表示体回転駆動装置１７ｄは、表示体７４の可変表示装置３４を回転駆動する。係る状態において遊技者は、開口部７３の中央で表示体７４の可変表示装置３４が回転運動する態様を視認することができる。
【００４８】
前記可変表示装置３４は、予め定められた条件が成立（例えば、予め定められた入賞口への遊技球の入賞等）するのに応じて実行される電子的な当否抽選の結果に従って、識別情報としての識別表示情報（例えば、図柄、キャラクタ、背景画像等）を可変表示させた後に停止表示する表示制御装置である。なお、この可変表示装置３４には、液晶表示装置（Liquid Crystal Display）、ドットマトリクス表示装置、７セグ表示装置、ＥＬ（ElectroLuminescence）表示装置等の表示装置を適用することができる。
【００４９】
前記ＬＥＤ表示装置３５は、遊技者への様々な情報をＬＥＤにより表示する装置であり、例えば、予め定められた条件が成立（例えば、予め定められた通過口への遊技球の通過等）するのに応じて実行される電子的な当否抽選の結果に従って、識別情報としての識別点灯情報をＬＥＤにより可変表示させた後に停止表示する。
【００５０】
前記所定入賞口３７は、遊技領域３１内における適宜な位置に複数設けられ、落下してくる遊技球を受け入れる開口部７３を備えた構造物である。なお、特定入賞口２及び特別入賞口３もこの所定入賞口３７に含まれる。
【００５１】
ここで、前記特定入賞口２とは、複数の入賞口の 何れかであって、入賞口の開口範囲の拡縮を行わせる電動式の可動片４４を備え、遊技球が入賞口に入賞するのに応じて、可変表示装置３４に識別表示情報を可変表示させると共に、遊技者に賞球を獲得させる入賞口である。また、前記特別入賞口３とは、複数の入賞口の 何れかであって、入賞口を露出させる開口状態と入賞口を閉鎖する閉口状態を生成する電動式の可動扉４５を備え、遊技球が入賞口に入賞するのに応じて、他の入賞口と比較して多くの賞球を遊技者に獲得させる入賞口である。なお、以下では、特定入賞口２及び特別入賞口３以外の複数の所定入賞口３７をその他入賞口３７と称する。
【００５２】
前記所定通過口３８，４６は、遊技領域３１内における適宜な位置に所定数設けられ、落下してくる遊技球を通過させるゲートを備えた構造物である。
【００５３】
前記アウト口３９は、所定入賞口３７のいずれにも入ることがなかった遊技球を集束する位置に設けられた遊技球の回収開口部である。
【００５４】
前記遊技釘は、遊技球と接触させることにより遊技球の移動方向を不規則にする、若しくは遊技球の移動方向を規制するために、遊技盤７の盤面５２の適宜な位置に打ち込まれる複数の棒状部材である。
【００５５】
前記風車４０は、遊技球の接触によって自転可能な回転部材である。
【００５６】
前記特定保留数表示ランプ４１は、前記特定入賞口２への入賞後の可変表示開始に係る保留状態を点灯又は消灯により報知する発光装置である。
【００５７】
前記通過保留数表示ランプ４２は、前記所定通過口３８への通過達成後の可変表示開始に係る保留状態を点灯又は消灯により報知する発光装置である。
【００５８】
前記演出用表示ランプ４３は、電源投入後の遊技状態の変化に応じて多彩な点灯態様とする発光装置である。
【００５９】
〔電気的構成〕
次に、本実施形態の遊技機の電気的構成について説明する。
【００６０】
本実施形態となる遊技機は、電気的構成として、ＣＲユニット１、主制御装置１３、副制御装置１４、球貸信号制御装置１６、可動物制御装置１７、電源供給装置２１、発射制御装置２２、発射駆動装置２３、検知センサ４７、集中管理装置４８等を備える。なお、ＣＲユニット１、球貸信号制御装置１６、可動物制御装置１７、電源供給装置２１、発射制御装置２２、及び発射駆動装置２３の構成は上述の通りであるので、以下ではその説明を省略する。
【００６１】
前記主制御装置１３は、ＣＰＵ（Central Processing Unit：中央命令処理部）１３ａ、予め定められた制御プログラム（コンピュータプログラム）を格納するＲＯＭ（Read Only Memory：書換不可記憶部）１３ｂ、生成された処理情報の一時記憶及び記憶した情報の削除を行うＲＡＭ（Random Access Memory：書換可能記憶部）１３ｃ、周期的な信号を発生させる周波数発生回路部１３ｄ等により構成され、遊技機内における主要な情報処理を行うと共に、副制御装置１４に入力する処理情報を生成する装置である。
【００６２】
前記副制御装置１４は、図柄制御装置１４ａ、ランプ制御装置１４ｂ、音声制御装置１４ｃ、及び払出制御装置１４ｄにより構成され、主制御装置１３が生成した処理情報に従って所定の出力態様処理を行う。なお、副制御装置１４は、出力態様処理毎の装置として構成しても、各出力態様処理を複数組み合わせて構成してもよい。また、副制御装置１４を構成する各制御装置は、処理情報に従って独立して処理を実行可能なように、内部にＣＰＵ，ＲＯＭ，ＲＡＭを備える。
【００６３】
ここで、前記図柄制御装置１４ａは、主制御装置１３が生成した表示制御信号に従って、ビデオ・ディスプレイ・プロセッサ（ＶＤＰ）５０を介して可変表示装置３４、又はＬＥＤ表示装置３５を制御することにより、識別点灯情報又は識別表示情報を変動表示させた後に停止表示する制御を行う装置である。本実施形態では、図柄制御装置１４ａ及びＶＤＰ５０のうち、可変表示装置３４の制御に関するものは、可変表示装置３４の制御基板７７に設けられている。図１２に示すように、主制御装置１３が出力した表示制御信号は、フォトダイオード６８によって電気信号から光信号に変換されて送信され、該光信号はフォトトランジスタ７５によって受信されて光信号から電気信号に変換され、該電気信号は制御基板７７に入力される。制御基板７７の図柄制御装置１４ａは、入力された表示制御信号に従って、ＶＤＰ５０を介して可変表示装置３４を制御し、識別表示情報を変動表示させた後に停止表示する制御を行う。
【００６４】
前記ランプ制御装置１４ｂは、主制御装置１３が生成した処理情報に従って、開口枠扉６の電飾２９（演出報知ランプ、払出ランプ、トラブルランプを含む）や遊技領域３１内に設けられた演出用表示ランプ（電飾）４３、又は特定保留数表示ランプ４１、通過保留数表示ランプ４２等を点灯制御する装置である。なお、特定保留数表示ランプ４１又は通過保留数表示ランプ４２が表す情報は可変表示装置３４による識別表示情報として報知してもよい。
【００６５】
前記音声制御装置１４ｃは、主制御装置１３が生成した処理情報に従ってスピーカ３０やサウンドプロセッサ等の音声発生装置５１を制御して音声を発生させる装置である。
【００６６】
前記払出制御装置１４ｄは、主制御装置１３が生成した処理情報に従って、遊技球払出装置１５により所定数の賞球を払出す制御を行う装置である。また、前記払出制御装置１４ｄは、主制御装置１３が生成した処理情報に従って、球貸信号制御装置１６を介して、ＣＲユニット１に読み込ませたプリペイドカードに格納したデータ情報を参照して、所定数の貸球を払出す制御を行うと共に、貸球の払出し個数を計数して管理をする装置である。
【００６７】
前記検知センサ４７は、特定入賞球検知センサ４７ａ、特別入賞球検知センサ４７ｂ、入賞特定領域検知センサ４７ｃ、通過球検知センサ４７ｄ、その他入賞球検知センサ４７ｅ、及び遊技球払出検知センサ４７ｆにより構成される。そして、各検知センサはそれぞれ、特定入賞口２、特別入賞口３、入賞特定領域（例えば、特別入賞口３の略中央部より右側領域）、所定通過口３８，４６、その他入賞口３７、及び賞球口２０近傍に設けられ、各場所における遊技球の通過の有無を検知する。
【００６８】
前記集中管理装置４８は、主制御装置１３が生成した処理情報を遊技機の外部において管理する装置である。
【００６９】
前記表示体回転駆動装置１７ｄは、主制御装置１３が生成した表示駆動制御信号に従って、可変表示装置３４を回転駆動する装置である。
【００７０】
［遊技機の動作］
次に、本実施形態の遊技機の動作を主制御装置１３、副制御装置１４、及び可動物制御装置１７の動作に分けて説明する。
【００７１】
〔主制御装置の動作〕
始めに、主たる遊技制御を行う主制御装置１３の動作について説明する。
【００７２】
前記電源供給装置２１は、電源が投入されるのに応じて、遊技機の電気的な制御装置に対し電力を供給する。そして、主制御装置１３のＣＰＵ１３ａは、電源が供給されると、初期設定として下記必要確認事項のチェックを行い、遊技機が適正な起動状態となっているか否かをチェックする。
【００７３】
具体的には、始めに、主制御装置１３のＣＰＵ１３ａは、「ＲＡＭ１３ｃに記憶されている処理情報をクリアするスイッチ（図示せず）はオン状態であるか否か」を判断する。そして、スイッチがオン状態である場合、主制御装置１３のＣＰＵ１３ａは、不要残存データとなる賞球情報や遊技履歴情報等、ＲＡＭ１３ｃに記憶されている処理情報を削除し、所定の処理情報をＲＡＭ１３ｃ内に正常に記憶し得るか否かをチェックする。チェックの結果、正常に記憶し得るとのチェック結果となった場合、主制御装置１３のＣＰＵ１３ａは、メインルーチン処理への移行を許可し、副制御装置１４に対して通知する主制御起動開始の処理情報等を生成する。
【００７４】
一方、スイッチがオン状態でない場合には、主制御装置１３のＣＰＵ１３ａは、「バックアップフラグを設定しているか否か」の判断を行い、バックアップフラグが設定されている場合、前述と同様のチェック及びメインルーチン処理への移行許可等を行う。逆に、バックアップフラグが設定されていない場合、主制御装置１３のＣＰＵ１３ａは、「ＲＡＭ１３ｃに記憶されている処理情報（記憶領域の内容）が壊れていないか否か」を判断し、ＲＡＭ１３ｃに記憶されている処理情報が「壊れていない」と判断した場合、前述と同様のチェック及びメインルーチンへの移行許可等を行う。
【００７５】
一方、ＲＡＭ１３ｃに記憶されている処理情報が「壊れている」と判断した場合には、主制御装置１３のＣＰＵ１３ａは、電源投入時前に不本意な停電、故障、処理ミス等のエラーが生じていたものと判断し、エラー解除の復帰処理が行われた後に、エラーが発生した電源断時点からの処理を始める制御を行う。
【００７６】
ここで、本実施形態におけるメインルーチン処理は、主制御装置１３に備えられたＲＯＭ１３ｂに予め格納された制御プログラム（コンピュータプログラム）により実行される。そして、主制御装置１３のＣＰＵ１３ａは、メインルーチン処理として、乱数更新処理、入力検知受信処理、入力管理処理、異常監視処理、特別図柄制御処理、普通図柄制御処理、ランプ管理処理、準備球払出処理、外部情報管理処理、及び出力管理処理を行う。
【００７７】
なお、このメインルーチン処理とは、周波数発生回路部１３ｄが生成する周期的な信号に基づく分周設定により定期的なタイミングパルス（例えば４ミリ秒）を生成し、生成されたタイミングパルスに合わせて、ＣＰＵ１３ａが、前記各処理の読み込み更新、又は書き込み記憶、又は該記憶の削除等を含む制御実行処理を繰り返し実行する基本ルーチンのことである。
【００７８】
以下、前記メインルーチン処理の各処理について詳しく説明する。
【００７９】
『乱数更新処理』
前記乱数更新処理は、抽選遊技処理と複数の所定数値群のグループから成る乱数生成範囲とを対応するように個別の種類毎に設定し、この設定に基づいて乱数を生成する処理である。なお、本実施形態における乱数とは、抽選遊技処理毎に応じた乱数生成範囲を設定した乱数生成プログラム（例えば、当否判定用の乱数生成範囲は０〜６９９、変動パターン決定用の乱数生成範囲は０〜３９、表示図柄決定用の乱数生成範囲は０〜１１等）に従って、タイミングパルス（例えば、４ミリ秒）に応じて前記乱数生成範囲内において数値を＋１ずつ更新した時の数値を意味する。また、この乱数更新処理は、主制御装置１３のＲＯＭ１３ｂに格納される制御プログラムによるソフトウェア的な処理に限られず、外部に設けられた物理的装置となる乱数発生手段に基づいて乱数の更新処理を行わせ、この乱数を主制御装置１３のＣＰＵ１３ａに取り込んで乱数抽出の制御処理をさせるようにしてもよい。
【００８０】
『入力検知受信処理』
前記入力検知受信処理は、特定入賞球検知センサ４７ａ、特別入賞球検知センサ４７ｂ、入賞特定領域検知センサ４７ｃ、通過球検知センサ４７ｄ、その他入賞球検知センサ４７ｅ、遊技球払出検知センサ４７ｆ、及びエラー検知センサ４７ｇにより生成された入力情報があるか否かをタイミングパルス（例えば、４ミリ秒）に応じて監視、及びセンサからの入力情報を受信する処理である。
【００８１】
『入力管理処理』
前記入力管理処理は、入力検知受信処理により受信した入力情報を解析し、どの検知センサからの入力信号であるか等の解析結果に応じて、例えば、複数の入賞口毎に入賞させた各々の遊技球個数の計数管理や、入賞検知に係る受信時から該入賞に基づく制御処理が開始されるまでの時間管理等の処理を行い、後述する異常監視処理、特別図柄制御処理、普通図柄制御処理、ランプ管理処理、及び賞球払出処理を行う上で、適宜に該処理結果を使用できるようにする処理である。
【００８２】
『異常監視処理』
前記異常監視処理は、球受皿９に遊技球を貯留させた場合における容量オーバーのエラー、遊技球流動時における球詰まりエラー、制御処理実行時の不良エラー等、前記入力管理処理にてエラー処理情報が生成されていないか否かを、タイミングパルス（例えば、４ミリ秒）に従って監視し、エラー処理情報が生成されている場合には、そのエラー処理情報に対応した出力態様の報知処理情報を生成する処理である。また、この異常監視処理では、主制御装置１３のＣＰＵ１３ａは、前記入力管理処理によってエラー状態の解除の処理情報を受信した場合、エラー解除の出力態様の報知処理情報も生成する。
【００８３】
そして、主制御装置１３のＣＰＵ１３ａは、生成した報知処理情報を副制御装置１４側へ送信し、異常監視処理におけるエラー報知の出力態様として実行するべく、報知処理情報を記憶手段（例えば、ＲＡＭ１３ｃ）に記憶する。なお、前記副制御装置１４側へ送信するために記憶される報知処理情報とは、例えば通常遊技状態時の異常監視処理を意味する「先行コマンド番号」と、実行させる報知のエラー出力態様を意味する「後続コマンド番号」との組み合わせから成る。以下、メインルーチン処理にて生成する処理情報は、どのような遊技状態の何々処理を意味する「先行コマンド番号」と、実行させる所定の出力態様を意味する「後続コマンド番号」の組み合わせ（以下、単に番号又はコマンド番号と称す）により構成されるものとする。
【００８４】
『特別図柄制御処理』
前記特別図柄制御処理は、特定入賞口２の近傍に設けられた特定入賞球検知センサ４７ａから入力情報を受信するのに応じて電子的な当否抽選を行い、当選の場合には、通常の遊技状態から遊技者にとって有利な遊技状態（大当たり遊技状態）となるように特別入賞口３に遊技球が入賞し易くする処理である。また、この特別図柄制御処理では、主制御装置１３のＣＰＵ１３ａは、可変表示装置３４で識別表示情報（以下、特別図柄と称す）を表示制御することに関係する処理も行う。
【００８５】
ここで、特別図柄とは、前記特定入賞口２への遊技球の入賞に基づく前記当否抽選の結果を可変表示する複数の識別情報（例えば、左・中・右の３つの図柄）である。抽選結果が当選の場合には、複数の識別情報が、予め定められた特定の組み合わせで停止した表示態様（例えば、左・中・右の３つの図柄が全て同じ図柄で揃った状態）となり、これにより、遊技者にとって有利な遊技状態（大当たり遊技状態）に移行したことが報知される。係る遊技状態では、通常遊技状態と比較して短時間に多くの賞球が獲得可能な状態が連続的に発生する。一方、抽選結果が外れの場合には、複数の識別情報が、予め定められた特定の組み合わせ以外で停止した表示態様（例えば、左・中・右の３つの図柄のうち少なくとも一つが他と異なっている状態）となり、これにより、通常遊技状態が継続していることが報知される。
【００８６】
また、前記特別図柄における可変表示とは、予め設定された、互いに異なる複数種類の特別図柄（例えば、１２種類）を、所定速度で周期的に順次表示させる態様を、複数の表示領域（例えば、左・中・右の３つの可変表示装置３４）にて行う表示方法である。以下、可変表示及びこれに付随する背景変動（キャラクタ表示を含む）における演出を報知演出と称する。
【００８７】
この特別図柄制御処理では、主制御装置１３のＣＰＵ１３ａは、特定入賞口２への遊技球の入賞を契機として、乱数抽出による予め定められた数値の比較に応じた当否抽選、及び該抽選結果に係る表示制御を行うために、当否判定（抽選）用となる有利な遊技状態に移行させるか否かの当否用の乱数と、可変表示装置３４にて当否の判定結果に応じた可変表示となる報知演出及び可変表示装置３４にて当否の判定結果に応じた回転態様となる報知演出をするための変動パターン決定用の乱数と、同じく可変表示装置３４にて当否の判定結果に応じた停止表示の態様とするための特別図柄決定用の乱数とを乱数更新処理にて生成する。そして、主制御装置１３のＣＰＵ１３ａは、生成した乱数を個別に読み出し、取得乱数として記憶手段に記憶する。
【００８８】
また、この特別図柄制御処理では、主制御装置１３のＣＰＵ１３ａは、乱数の取得時点で既に特別図柄制御による報知演出処理等の先行制御処理が行われていないことを条件として記憶させた当否用の取得乱数と、数値振分けデータ群としてテーブルに予め設定されている当否用比較数値とを照合して比較することで当否判定を行い、その結果である当否情報を記憶手段に記憶する。
【００８９】
次に、主制御装置１３のＣＰＵ１３ａは、予めテーブルに当否に基づいて分類して記憶してある当たり又は外れ用の変動パターン比較用数値と、該記憶された変動パターン決定用の取得乱数とを、記憶手段に記憶した当否情報に応じて照合して比較することにより、変動パターン決定判定を行い、その結果である当たり又は外れ用とする変動パターン情報（表示制御信号である変動パターン番号）及び回転態様情報（表示駆動制御信号である回転態様番号）を記憶手段に記憶する。
【００９０】
さらに、主制御装置１３のＣＰＵ１３ａは、予めテーブルに当否に基づいて分類して記憶してある当たり又は外れ用から成る停止表示の態様（例えば、左・中・右の並び態様）の特別図柄比較用数値と、該記憶された特別図柄決定用の取得乱数とを、前記記憶した当否情報と当たり又は外れ用とする変動パターン情報に応じて照合して比較することにより、特別図柄決定判定を行い、その結果から得られる複数の特別図柄のそれぞれを個別に停止表示させる、当たり又は外れ用となる特別図柄情報（左・中・右の特別図柄番号）を記憶手段に記憶する。
【００９１】
ここで、変動パターン比較用数値、或いは特別図柄比較用数値を有するテーブルとこれに対応させた取得乱数とに応じて照合して比較することは、当たりの場合は当たり用の比較用数値とこれに対応した取得乱数との組み合わせの一致を判断し、外れの場合は外れ用の比較用数値とこれに対応した取得乱数との組み合わせの一致を判断することにより、合致するものを探し出す処理である。そして、前記合致に応じた当たり又は外れ用の変動パターン番号及び回転態様番号、或いは当たり又は外れ用の複数の特別図柄番号が記憶手段に記憶される。
【００９２】
なお、前記乱数発生手段による乱数の取得時点において、「特別図柄制御による報知演出処理等の先行制御処理が行われていないことを条件に当否判定を行う」としたが、該契機条件は任意に設計変更可能なものとする。
【００９３】
これまで説明した特別図柄制御処理により、特定入賞口２における入賞後に得られる処理情報として、以下の情報が生成される。
（１）当たり又は外れ用の変動パターン番号。
（２）所定の可変表示領域に対し一時的に停止表示（微動表示を含む）をさせる、当たり又は外れ用の複数の特別図柄番号。
（３）該一時的に停止表示をさせる複数の特別図柄に対して停止表示の態様とさせるための確定停止指示番号。
（４）前記当否判定における当たりの場合の大当たり移行指示番号。
（５）当たり又は外れ用の回転態様番号。
【００９４】
そして、後述する出力管理処理を介して副制御装置１４側へ前記変動パターン番号と複数の特別図柄番号を送信する時に、決定された変動パターンに対応する制御処理実行時間を主制御装置１３のＣＰＵ１３ａにて設定し、カウント演算処理を行わせるタイマを更新する。なお、このタイマによる制御処理実行時間の経過に応じたタイミングで確定停止指示番号と前記当否判定における当たりの場合の大当たり移行指示番号と回転態様番号とが出力管理処理を介して送信される。
【００９５】
従って、遊技者にとって有利な遊技状態に移行させるか否かは、例えば、当否判定用の抽選遊技処理と、０〜６９７個の「外れ用数値」に通常用当たりと対応付けられた「特別用数値」、及び該通常用当たりよりも有益な当たりとして対応付けられた「特殊用数値」を含めた計７００個から成る「乱数生成範囲」とを対応するように前記乱数更新処理において設定し、前述した特定入賞口２への遊技球の入賞時に応じたタイミングで更新された数値が乱数として読み出し取得され、該取得乱数が「特別用数値」又は「特殊用数値」となるかの当否判定の結果によって決定する。すなわち、該入賞を契機とした１／３５０の抽選確率で当たり判定となる場合に前記移行させる条件が満たされることとなる。
【００９６】
また、遊技者にとって有利な遊技状態に移行させるための前記特別図柄の組み合わせ（例えば、左・中・右の特別図柄が同種の並び態様）を当たり停止表示の態様とした時、その一歩手前の未確定表示を所謂リーチ演出と称するが、そのようなリーチ演出等を含む、その他の様々な報知演出の内容は、（ａ）前記当否判定された当たり又は外れの結果と、（ｂ）前述した特定入賞口２に対する遊技球の入賞タイミングによって読み出される変動パターン決定用及び特別図柄決定用の取得乱数とに基づいて決定する。すなわち、前記図柄制御装置１４ａを介した可変表示装置３４にてランダムに可変表示し得るようになる。
【００９７】
ここで、本実施形態におけるリーチ演出の一例について、図１３（ａ）〜（ｄ）を参照しつつ説明する。まず、（ａ）左及び中の可変表示装置３４の表示部７６に同一の特別図柄（例えば、「７」）が停止表示され、右の可変表示装置３４に特別図柄を隠すように砂の画像が表示される。そして、（ｂ）右の可変表示装置３４が回転駆動されて前方に傾くと共に、表示部７６に僅かに砂が取り除かれた画像が表示される。また、（ｃ）右の可変表示装置３４が回転駆動されて後方に傾くと共に、表示部７６に（ｂ）と比べて多くの砂が取り除かれた画像が表示される。右の可変表示装置３４が前後に揺り動かされる毎に、表示部７６に表示される砂が少なくなってゆく。（ｄ）前記当否判定の結果が当たりである場合、右の可変表示装置３４の回転運動が停止されると共に、右の可変表示装置３４に特別図柄（例えば、「７」）が表示される。係るリーチ演出において、主制御装置のＣＰＵ１３ａは、変動パターン番号（表示制御信号）及び特別図柄番号を図柄制御装置１４ａに送信し、回転態様番号（表示駆動制御信号）を表示体回転駆動装置１７ｄに送信する。なお、係るリーチ演出では、右の可変表示装置３４を前後に揺動させて、砂が取り除かれてゆく画像を表示していたが、右の可変表示装置３４を同一方向に連続的に回転させて、砂が取り除かれてゆく画像を表示するようにしてもよい。
【００９８】
なお、前記乱数発生手段により乱数の取得時点において、特別図柄制御による報知演出処理等の先行制御処理が行われていた場合には、主制御装置１３のＣＰＵ１３ａは、該制御処理が終了するまで、読み出し結果である特別図柄制御に係る取得乱数又は前記表示態様の実行のための処理情報を記憶手段に記憶し、記憶したことを報知するために、乱数等の格納毎に特定保留数表示ランプ４１を１つずつ点灯すべく、副制御装置１４（ランプ制御装置１４ｂ）側へ送信する点灯命令情報を生成する。
【００９９】
そして、可変表示している変動パターンの変動表示時間の推移を管理すべく設定しているカウント演算による更新をしているタイマに基づいて、主制御装置１３のＣＰＵ１３ａが、停止表示の態様報知時間のタイミングに合わせて、記憶手段に記憶された不必要な取得乱数又は処理情報の削除を行うと共に、確定停止指示番号を送信した時に、特定保留数表示ランプ４１を１つずつ消灯させる。すなわち、副制御装置１４（ランプ制御装置１４ｂ）は、特定保留数表示ランプ４１の点灯処理が行われている場合には、該確定停止指示番号を消灯命令処理情報として用いるようになる。
【０１００】
なお、本実施形態では、前記取得乱数又は処理情報を記憶手段に記憶させる時に、記憶すべき該取得乱数又は処理情報の上限個数（例えば、５個）を予め定めておき、先行制御処理に係る取得乱数又は処理情報の記憶を含めた合計記憶個数が上限の場合、主制御装置１３のＣＰＵ１３ａは、該取得乱数又は処理情報を生成する条件が満たされていても無効条件成立として、記憶する制御は行わず、特別図柄制御の当否判定も行わない。
【０１０１】
また、この特別図柄制御処理では、前記有利な遊技状態（大当たり遊技状態）に移行させるか否かの当否判定の結果が当たりとなり、この当たり結果を報知するため、前記特別図柄の組み合わせによる予め定められた停止表示の態様を実行する場合において、主制御装置１３のＣＰＵ１３ａは、以下のような処理をする。すなわち、主制御装置１３のＣＰＵ１３ａは、当たりに対応して、前記有利な遊技状態に移行させるために、（ａ）前記特別入賞口３に対して閉口するように備えさせていた可動扉４５を開口状態とし、（ｂ）該開口状態が所定時間（例えば、３０秒）経過するか、又は該特別入賞口３に対して所定個数（例えば、１０個）の遊技球を入賞させるかの 何れかの条件を満たすことを条件に、可動扉４５を閉口制御し、さらに、（ｃ）該開口状態中に入賞した遊技球の 何れかが特別入賞口３内に設けられた入賞特定領域を通過して、入賞特定領域検知センサ４７ｃにて検知されたことを条件として、可動扉４５を連続的に開口状態とし、（ｄ）前述と同様の条件成立の推移にて可動扉４５を開閉することを、所定上限回数（例えば、１６回）が達成されるまで繰り返すよう指示する処理情報を生成する。
【０１０２】
さらに、前記当否用の取得乱数と当否用比較数値のテーブルとの照合による当否判定時に、該取得乱数が「予め定められている特殊用数値（例えば、当たり確率上昇変動状態への移行と対応させた数値）」による当たりである、と判定された場合には、主制御装置１３のＣＰＵ１３ａは、前記有利な遊技状態の終了後において用いるテーブルを、例えば、当選確率が１／３５０から１／７５となるような当たり発生確率が高いテーブルへと参照テーブルを変更し、その後、前記特定入賞口２への入賞に基づく可変表示の回数が所定回数（例えば、１００００回）となるまでか、又は特別図柄制御に係る当たりと判定される条件が満たされたら、変更前のテーブルに戻すように指示するための処理情報を生成する。このような処理情報で制御される遊技状態を特典遊技状態ということとする。
【０１０３】
また、前記特典遊技状態における別の実施形態として、１つの変動パターンに係る変動表示時間が通常遊技状態時と比較して短い変動パターンを設定したテーブルを設け、特殊乱数による当たりと判定された場合、主制御装置１３のＣＰＵ１３ａは、該テーブルへと参照テーブルを変更し、前記特定入賞口２への入賞に基づく可変表示の回数が所定回数（例えば、１００００回）となるまでか、又は、特別図柄制御に係る当たりと判定される条件が満たされたら、変更前のテーブルに戻すよう指示する処理情報を生成するようにしてもよい。すなわち、本発明においては、前記特典遊技状態の形態には拘らない。
【０１０４】
『普通図柄制御処理』
前記普通図柄制御処理は、遊技者にとって有利な遊技状態とする処理であり、所定通過口３８近傍に設けられた通過球検知センサ４７ｄからの入力情報を受信するのに応じて電子的な当否抽選を行い、当選の場合に前記特定入賞口２の入口両側に設けた可動片４４を拡大して、その開口範囲を拡大させ、打ち出した遊技球を該特定入賞口２に入り易くする処理である。また、この普通図柄制御処理では、ＬＥＤ表示装置３５で普通図柄と称される識別情報を表示制御する処理も行う。
【０１０５】
ここで、普通図柄とは、前記通過球検知センサ４７ｄからの入力情報に応じた当否抽選の結果を可変表示又は点滅表示する所定数の識別情報（例：「○・−」→当選図柄、「−・×」→外れ図柄）である。抽選結果が当選の場合には、所定数の識別情報が予め定められた特定の組み合わせで停止した表示態様（例：「○・−」）となり、これにより、遊技者にとって有利な遊技状態（例えば、小当たり）に移行したことが報知される。係る遊技状態では、通常遊技状態と比較して、打ち出した遊技球が入賞し易い状態が単発的又は連続的に発生する。一方、抽選結果が外れの場合には、所定数の識別情報が、予め定められた特定の組み合わせ以外で停止した表示態様（例：「−・×」）となり、これにより、通常遊技状態が継続していることが報知される。なお、本発明においては、識別情報を表示制御するＬＥＤ表示装置３５の代わりに、前記可変表示装置３４又はドラム式やドットマトリクス式の表示装置等でもよく、表示方法には拘らない。
【０１０６】
『ランプ管理処理』
前記ランプ管理処理は、前記入力管理処理にて生成する入賞処理情報等のランプ点灯に係る処理情報があるか否かを、タイミングパルス（例えば、４ミリ秒）に応じて監視し、該ランプ点灯に係る処理情報がある場合に、その処理情報に対応した出力態様となる発光処理情報を生成する処理である。そして、主制御装置１３のＣＰＵ１３ａは、前記生成した発光処理情報を副制御装置１４側へ送信し、ランプ管理処理における点灯報知の出力態様とし実行するべく、該発光処理情報を記憶手段に記憶する。
【０１０７】
『準備球払出処理』
前記準備球払出処理は、前記入力管理処理にて生成する入賞処理情報等の賞球払出に係る処理情報があるか、又は前記球貸信号制御装置１６から球貸払出に係る処理情報が生成されていないか否かを所定時間毎に監視し、該賞球払出又は球貸払出に係る処理情報がある場合に、その払出処理情報に対応した出力態様となる払出操作情報を生成する処理である。そして、主制御装置１３のＣＰＵ１３ａは、前記生成した払出動作情報を副制御装置１４側へ送信し、準備球払出処理における払出動作の出力態様として実行すべく、該払出動作情報を記憶手段に記憶する。また、この処理では、前記払出動作情報を生成するのに伴って、遊技球払出制御に係る動作時間、及び１つの遊技球を払い出す動作毎の回数を所定の計数手段にて計数する時の合計値を主制御装置１３のＣＰＵ１３ａにて設定し、払出動作の実行管理を行う。なお、前記準備球とは、賞球払出又は球貸払出用として予め備えておく遊技球のことである。
【０１０８】
『外部情報管理処理』
前記外部情報管理処理は、副制御装置１４側へと送信するために生成した記憶手段に記憶した記憶情報を、遊技機外部において管理を行う時に必要な記憶情報であるか否かを判断し、該判断結果に応じて管理すべき記憶情報を集中管理装置４８側へ送信する処理である。
【０１０９】
『出力管理処理』
前記出力管理処理とは、異常監視処理、特別図柄制御処理、普通図柄制御処理、ランプ管理処理、及び準備球払出処理により生成された処理情報を、副制御装置１４側へ送信するために、出力データを編集し、該処理情報の出力タイミングを通知するためのストローブ（ＳＴＢ）信号を伴わせて、該出力編集した記憶情報を送信する処理である。
【０１１０】
〔副制御装置の動作〕
次に、副制御装置１４の動作について説明する。
【０１１１】
前記副制御装置１４は、電源投入による起動開始時、初期設定を行い、必要確認事項のチェック処理を行う。そして、チェック処理結果が正常であれば、該副制御装置１４におけるメインルーチン処理への移行を許可し、主制御装置１３のＣＰＵ１３ａから送信された記憶情報である主制御起動開始情報等を受信する。
【０１１２】
なお、前記副制御装置１４のメインルーチン処理とは、図柄制御装置１４ａ、ランプ制御装置１４ｂ、音声制御装置１４ｃ、及び払出制御装置１４ｄのそれぞれに備えられたＲＯＭに予め格納された主要な制御プログラムを、周波数派生回路部１３ｄで生成した定期的なタイミングパルス（例えば、４ミリ秒）に合わせて、読み込み更新、又は書き込み記憶、又は該記憶の削除等を含む制御実行処理を繰り返し実行する基本ルーチンのことである。以下、前記副制御装置１４のメインルーチン処理における基本的な処理の一例について説明する。
【０１１３】
始めに、副制御装置１４は、前記出力管理処理にて送信した処理情報を受信したか否かをタイミングパルスに応じて監視し、受信が行われている場合に記憶手段（例えば、ＲＡＭ）に記憶する。次に、副制御装置１４は、該受信した処理情報の解析処理を行い、どのような遊技状態における異常監視処理、特別図柄制御処理、普通図柄制御処理、ランプ管理処理、及び球払出処理の 何れかの処理情報（先行コマンド）で且つ、どのような出力態様を実行させる処理情報（後続コマンド番号）かの判別を行う。
【０１１４】
そして、副制御装置１４は、該解析処理の結果に応じたフラグの設定、及び出力態様に係る制御処理実行時間に基づきカウント演算するタイマを設定し、予め定められた制御プログラムを格納する記憶手段（例えば、ＲＯＭ）から、該解析処理の結果に応じた出力態様用の制御プログラムを読み出して実行する制御処理を行う。
【０１１５】
以下、処理情報を受信した場合の、図柄制御装置１４ａ、ランプ制御装置１４ｂ、音声制御装置１４ｃ、及び払出制御装置１４ｄの動作について順に説明する。
【０１１６】
『図柄制御装置の動作』
処理情報が特別図柄制御用の通常遊技状態における当たり又は外れ用の変動パターン番号と、所定の可変表示領域に対し一時的な停止表示（微動表示を含む）をさせる当たり又は外れ用の複数の特別図柄番号（例えば、左・中・右の３つ）であった場合、図柄制御装置１４ａは、特別図柄制御用の通常遊技状態における当否に基づいて予め分類して記憶してある報知演出分類テーブルと、該変動パターン番号とを照合して比較することで当たり又は外れ用の報知演出分類テーブルを決定する。
【０１１７】
そして、図柄制御装置１４ａは、前記決定した報知演出分類テーブルに基づいて、該図柄制御装置１４ａに設けられた演出選択用乱数を更新する乱数発生手段から、前記変動パターン番号の受信に応じ読み出して記憶手段に記憶させた取得乱数との照合による比較により、当たり用の報知演出データ又は外れ用の報知演出データを設定する。
【０１１８】
また、図柄制御装置１４ａは、所定の可変表示領域に対し停止表示を行う複数種類の特別図柄がプログラムされている通常遊技状態用の特別図柄分類テーブルと、該複数の特別図柄番号との個別の照合による比較により、前記可変表示装置３４にて停止表示を行う当たり又は外れ用の複数の特別図柄データのそれぞれを設定する。なお、特別図柄分類テーブルに格納された停止表示用の特別図柄は、一時的な停止を含むようにしてもよい。その後、図柄制御装置１４ａは、ＶＤＰ５０を介する可変表示装置３４にて、該設定した報知演出データと複数の特別図柄データに応じた、可変表示及び停止表示の表示制御を行う。
【０１１９】
なお、図柄制御装置１４ａは、前記変動パターン番号と複数の特別図柄番号の送信又は受信に応じて、カウント演算による更新を行う前記主制御装置１３又は副制御装置１４のタイマによる、表示制御に係る処理実行時間の経過のタイミングに基づいて送信又は受信する確定停止指示番号に従って、可変表示の表示制御が行われた複数の特別図柄に対して停止表示の態様（例えば、左・中・右の並び態様）とする処理を行う。
【０１２０】
また、前記確定停止指示番号の受信時において、大当たり移行指示番号を受信していた場合、図柄制御装置１４ａは、遊技者にとって有利な遊技状態の報知演出データを設定し、前記停止表示の態様とした後に大当たり用の表示制御を行う。なお、該受信情報が、特別図柄制御用の遊技者にとって有利な遊技状態又は特典遊技状態における情報であった場合には、図柄制御装置１４ａは、特別図柄制御に係る前記報知演出分類テーブル又は特別図柄分類テーブルに参照テーブルを変更し、該有利な遊技状態又は特典遊技状態の時に行う可変表示及び停止表示とする当たり又は外れ用の報知演出データ、及び当たり又は外れ用の複数の特別図柄データを設定する。
【０１２１】
なお、該受信情報が、特別図柄制御用の遊技者にとって有利な遊技となる状態又は特典遊技状態における記憶情報であった場合には、図柄制御装置１４ａは、普通図柄制御に係る前記点滅演出分類テーブル又は特別図柄分類テーブルが参照するテーブルの変更を行い、該有利な遊技となる状態又は特典遊技状態の時に行う点滅表示する当たり又は外れ用の点滅演出データ、及び当たり又は外れ用の複数の特別図柄データを設定する。
【０１２２】
また、本実施形態では、前記図柄制御装置１４ａの処理のうち、可変表示装置３４に関する情報の処理は、可変表示装置３４の制御基板７７において実行される。
【０１２３】
『ランプ制御装置の動作』
受信情報が、特別図柄制御用の通常遊技状態における当たり又は外れ用の変動パターン番号、或いは大当たり移行指示番号であった場合には、ランプ制御装置１４ｂは、特別図柄制御用の通常遊技状態における発光データテーブルに基づいて、該変動パターン番号又は大当たり移行指示番号に応じた発光データを設定し、盤面５２関係の電飾４３及び枠扉関係の電飾２９の少なくとも何れかにおいて該設定した発光データに応じた発光態様となるようにランプ点灯処理を行う。
【０１２４】
なお、該受信情報が、特別図柄制御用の遊技者にとって有利な遊技状態又は特典遊技状態における記憶情報（発光処理情報）であった場合には、ランプ制御装置１４ｂは、該有利な遊技状態又は特典遊技状態における発光データテーブルを参照して、通常遊技状態用とは異なる発光態様となる発光データを設定する。
【０１２５】
また、該受信情報が、特定保留数表示ランプ４１を点灯させるための、特別図柄制御用の通常遊技状態又は前記有利な遊技状態又は特典遊技状態における記憶情報（点灯命令処理情報）であった場合には、ランプ制御装置１４ｂは、特定保留数表示ランプ４１を１つずつ点灯させ、前記主制御装置１３のタイマに基づく停止表示の態様報知時間のタイミングに合わせて送信された確定停止指示番号から成る情報の受信に応じて、特定保留数表示ランプ４１を１つずつ消灯する。
【０１２６】
該受信情報が、普通図柄制御用の通常遊技状態における当たり又は外れ用の変動パターン番号、或いは小当たり移行指示番号であった場合には、ランプ制御装置１４ｂは、普通図柄制御用の通常遊技状態における発光データテーブルから該変動パターン番号又は大当たり移行指示番号に応じた発光データを読み出して設定し、盤面５２関係の電飾４３及び枠扉関係の電飾２９の少なくとも何れかにおいて該設定した発光データに応じた発光態様となるようにランプ点灯処理を行う。
【０１２７】
なお、該受信情報が、普通図柄制御用の遊技者にとって有利な遊技となる状態又は特典遊技状態における記憶情報（発光処理情報）であった場合には、ランプ制御装置１４ｂは、該有利な遊技となる状態又は特典遊技状態における発光データテーブルを参照して、通常遊技状態用とは異なる発光態様となる発光データを設定する。
【０１２８】
また、該受信情報が、通過保留数表示ランプ４２を点灯させるための、普通図柄制御用の通常遊技状態又は前記有利な遊技となる状態用又は特典遊技状態における記憶情報（点灯命令処理情報）であった場合には、ランプ制御装置１４ｂは、通過保留数表示ランプ４２を１つずつ点灯させ、前記主制御装置１３のタイマに基づく停止表示の態様報知時間のタイミングに合わせて送信された確定停止指示番号から成る情報の受信に応じて、通過保留数表示ランプ４２を１つずつ消灯する。
【０１２９】
さらに、該受信情報が、所定遊技状態におけるエラーに係る処理情報又は準備球払出に係る処理情報等、その他の記憶情報であった場合は、ランプ制御装置１４ｂは、参照する発光データテーブルに該記憶情報に応じた発光態様となる発光データを設定する。
【０１３０】
『音声制御装置の動作』
該受信情報が特別図柄制御の通常遊技状態における当たり又は外れの変動パターン番号、或いは大当たり移行指示番号であった場合には、音声制御装置１４ｃは、特別図柄制御用の通常遊技状態における音声データテーブルから、該変動パターン番号又は大当たり移行指示番号に応じた音声データを設定し、盤面５２関係及び枠扉関係等の少なくとも何れかの部材に設けられたスピーカ３０から、該設定した音声データに応じた音声態様となるように音声発生装置５１を介して音声を発生させる。
【０１３１】
また、該受信情報が遊技者にとって有利な遊技状態用又は特典遊技状態用の特別図柄制御における記憶情報であった場合には、音声制御装置１４ｃは、該有利な遊技状態又は特典遊技状態における音声データテーブルを参照して、通常遊技状態とは異なる音声態様となる音声データを設定する。
【０１３２】
また、該受信情報が普通図柄制御用の通常遊技状態における当たり又は外れ用の変動パターン番号、或いは小当たり移行指示番号の記憶情報であった場合には、音声制御装置１４ｃは、普通図柄制御用の通常遊技状態における音声データテーブルから、該変動パターン番号又は小当たり移行指示番号に応じた音声データを設定し、盤面５２関係及び枠扉関係等の少なくとも何れかの部材に設けられたスピーカから、該設定した音声データに応じた音声態様となるように音声発生装置５１を介して音声を発生させる。
【０１３３】
また、該受信情報が遊技者にとって有利な遊技とする状態又は特典遊技状態用の普通図柄制御における記憶情報であった場合には、音声制御装置１４ｃは、参照する音声データテーブルに該記憶情報に応じた音声態様となる音声データを設定する。
【０１３４】
さらに、該受信情報が所定遊技状態におけるエラーに係る処理情報又は準備球払出に係る処理情報等、その他の記憶情報であった場合には、音声制御装置１４ｃは、参照する音声データテーブルに該記憶情報に応じた音声態様となる音声データを設定する。
【０１３５】
『払出制御装置の動作』
該受信情報が、特別図柄制御用の通常遊技状態における特定入賞球検知センサ４７ａからの賞球処理情報、又は、特別図柄制御用の遊技者にとって有利な遊技状態における特別入賞球検知センサ４７ｂからの賞球処理情報等の記憶情報であった場合には、払出制御装置１４ｄは、遊技球払出装置１５を作動させて該記憶情報に応じた賞球個数とするための払出データテーブルに基づいて払出データを設定し、該設定に応じた賞球となるように所定数の遊技球を遊技者に対して払い出す。
【０１３６】
なお、該受信情報が、特別図柄制御用の遊技者にとって有利な遊技状態又は特典遊技状態における特定入賞球検知センサ４７ａからの賞球処理情報となる記憶情報であった場合には、払出制御装置１４ｄは、遊技球払出装置１５を作動させて通常遊技状態時と比較して増加又は減少の 何れかとなる賞球個数とする払出データテーブルへと変更し、該変更された払出データテーブルに基づいて払出データを設定し、該設定に応じた増加又は減少とする賞球となるように所定数の遊技球を遊技者に対して払い出す。
【０１３７】
さらに、球貸信号制御装置１６を介したボタン操作により、ＣＲユニット１で読んだプリペイドカードのデータ情報を参照して、所定数の貸球を払い出す制御を行わせる場合には、払出制御装置１４ｄは、該参照したデータ情報を受信して該データ情報に応じた貸球個数とするための払出データテーブルに基づいて払出データを設定し、該設定に応じた賞球となるように所定数の遊技球を遊技者に対して払い出す。
【０１３８】
〔可動物制御装置の動作〕
次に、可動物制御装置１７の動作を、可動片駆動装置１７ａ、可動扉駆動装置１７ｂ、入賞領域振分駆動装置１７ｃ、表示体回転駆動装置１７ｄの動作に分けて説明する。
【０１３９】
『可動片駆動装置の動作』
主制御装置１３による処理において、普通図柄制御用の通常遊技状態における小当たり移行指示番号を生成するのに応じて、前記可動片駆動装置１７ａは、前記特定入賞口２の開口範囲を縮小させていた一対の可動片４４を所定時間（例えば、０．２秒）拡大し、その後再び縮小するように、前記可動片駆動装置１７ａに設けられたソレノイド等の駆動部に対して所定電圧（例えば、１２Ｖ）を印加する拡大実行処理を所定回数（例えば、１回）行うよう指示するためのコマンドを生成する。
【０１４０】
また、主制御装置１３による処理において、普通図柄制御用の遊技者にとって有利な遊技状態又は特典遊技状態における小当たり移行指示番号を生成した場合には、前記可動片駆動装置１７ａは、前記特定入賞口２に対して開口範囲を縮小させていた一対の可動片４４を０．２秒から１．７秒へと長くして拡大して再び縮小するように、可動片駆動装置１７ａに設けられたソレノイド等の駆動部に対して所定電圧を送電し、また、拡大実行処理を例えば１回から２回へと多くして行う指示をするコマンドを生成する。
【０１４１】
『可動扉駆動装置の動作』
主制御装置１３による処理において、特別図柄制御用の通常遊技状態又は特典遊技状態における大当たり移行指示番号を生成するのに応じて、前記可動扉駆動装置１７ｂは、前記可動扉駆動装置１７ｂに設けられたソレノイド等の駆動部に対して所定電圧を送信する。そして、前記可動扉駆動装置１７ｂは、前記特別入賞口３に対して閉口させていた可動扉４５を作動させて開口状態とし、開口となってから所定時間（例えば、３０秒）経過するか、又は該特別入賞口３に対して所定個数（例えば、１０個）の遊技球を入賞させるかの 何れかの条件を満たしたら、再び閉口状態とする実行処理を行う指示をするコマンドを生成する。
【０１４２】
さらに、前記開口状態中に入賞させた遊技球の 何れかが特別入賞口３内に設けられた入賞特定領域を通過して、入賞特定領域検知センサ４７ｃにて検知されたことを条件として、前記可動扉駆動装置１７ｂは、可動扉４５を再び閉口状態となるようにし、前記と同様の条件成立時に可動扉４５を開閉することを所定上限回数が達成されるまで繰り返すように、ソレノイド等の駆動部に対して所定電圧を印加指示するコマンドを生成する。
【０１４３】
なお、前記可動扉駆動装置１７ｂにおける開閉処理の実行中に、特別図柄制御用の遊技者にとって有利な遊技状態における大当たり移行指示番号が生成された場合には、該開閉処理が終了するまで、大当たり移行指示番号の生成に基づく制御処理は行われずに保留状態とする。
【０１４４】
『入賞領域振分駆動装置の動作』
主制御装置１３による処理において、前記特別入賞口３を開口状態とするコマンドを生成するのに応じて、入賞領域振分駆動装置１７ｃは、前記特別入賞口３内にある入賞領域振分物５３に設けられたソレノイド等の駆動物に対して所定電圧（例えば、１２Ｖ）を印加し、特定入賞領域振分のシーソー運動となるように該開口状態中において可動させるコマンドを生成する。
【０１４５】
『表示体回転駆動装置の動作』
主制御装置１３による処理において、前記可変表示装置３４を回転駆動させる回転態様番号（表示駆動制御信号）を生成するのに応じて、前記表示体回転駆動装置１７ｄは、前記表示体回転駆動装置１７ｄに設けられたステッピングモータ等の駆動部材に対して所定電圧（例えば、１２Ｖ）を印加し、可変表示装置３４の表示内容に同調した回転運動となるように可動させるコマンドを生成する。
【０１４６】
以上説明したように、本実施形態によれば、可変表示装置３４が盤面５２に対して略平行な回転軸６９を中心として回転自在に設けられ、表示体回転駆動装置１７ｄは、可変表示装置３４を回転駆動し、制御基板７７の図柄制御装置１４ａは、主制御装置１３のＣＰＵ１３ａから出力された表示制御信号に応じてＶＤＰ５０を介して可変表示装置３４の表示部７６に識別情報を表示する。可変表示装置３４を回転駆動することにより、可変表示装置３４の回転角度が変化し、可変表示装置３４の表示部７６が、視認できる状態と、視認し難い状態と、視認できない状態と、の何れかに変化することができる。そして、可変表示装置３４の回転角度が変化しているときに、可変表示装置３４の表示部７６に識別情報を変動表示することにより、表示部７６の視認性を変化させると共に表示部７６の表示内容も変化させることができる。従って、従来までの弾球遊技機には無い斬新な演出や、意外性のある演出や、可変表示装置３４の表示部７６の表示内容と可変表示装置３４の回転運動とを同調又は調和させた演出などを行うことが可能となり、遊技者の興味が削がれてしまうことを防止することができる。
【０１４７】
また、フォトダイオード６８とフォトトランジスタ７５とが接触することなく表示制御信号の送受信を行うので、フォトダイオード６８とフォトトランジスタ７５とは、可変表示装置３４の回転運動を妨げることがない。このため、可変表示装置３４は、同一方向に連続的に回転することができる。従って、同一方向に連続的に回転することができる可変表示装置３４の回転運動と、可変表示装置３４の表示部７６の表示内容と、を同調又は調和させた演出を行うことが可能となり、遊技性の幅を拡げることができる。
【０１４８】
また、フォトダイオード６８とフォトトランジスタ７５とが光通信によって表示制御信号の送受信を行うため、係る送受信の際にノイズが発生しない。従って、他の装置に対して悪影響を及ぼすことなく、可変表示装置３４を回転させると共に可変表示装置３４の表示部７６に識別情報を表示させることが可能となる。
【０１４９】
なお、本実施形態では、回転軸６９は、略水平且つ遊技盤７の盤面５２に対して略平行に配置されているが、遊技盤７の盤面５２に対して略平行であれば、回転軸６９の軸方向は水平でなくともよい。
【０１５０】
また、本実施形態では、３つの可変表示装置３４を回転軸６９を中心として回転自在に設けているが、可変表示装置３４の数は３つ以外であってもよい。
【０１５１】
［第２実施形態］
次に、本発明の第２実施形態の遊技機について、図１４及び図１５に基づいて説明する。本実施形態では、第１実施形態の構造物本体６２の後壁部６７に複数の表示パネル８０を設けたものである。このため、第１実施形態と共通する構成については、その詳細な説明を省略する。
【０１５２】
図１４及び図１５に示すように、複数の表示パネル８０は、略矩形板形状を有し、表示部８１を備え、前方から視て可変表示装置３４と重なるように構造物本体６２の後壁部６７の中央に略均等に並んで設けられている。表示部８１は、表示パネル８０の前面に設けられている。装飾板６５と可変表示装置３４とが略平行になった場合、複数の表示パネル８０は可変表示装置３４に覆われて遊技者には視認できない状態となる。なお、複数の表示パネル８０と主制御装置１３とは、図示しない配線によって電気的に接続されている。
【０１５３】
前記表示パネル８０は、予め定められた条件が成立（例えば、予め定められた入賞口への遊技球の入賞等）するのに応じて実行される電子的な当否抽選の結果に従って、識別情報としての識別表示情報（例えば、図柄、キャラクタ、背景画像等）を可変表示させた後に停止表示する表示制御装置である。なお、この表示パネル８０には、液晶表示装置（Liquid Crystal Display）、ドットマトリクス表示装置、７セグ表示装置、ＥＬ（ElectroLuminescence）表示装置等の表示装置を適用することができる。また、表示パネル８０は、表示制御信号を受信した図柄制御装置１４ａによって制御される。
【０１５４】
上記構成では、可変表示装置３４が回転駆動されて装飾板６５と可変表示装置３４とが平行以外の状態となったとき、遊技者は開口部７３から奥の表示パネル８０を視認することができる。これにより、可変表示装置３４が水平状態に近づく程、すなわち、可変表示装置３４の表示部７６が視認し難い状態となる程、表示パネル８０の表示部８１が視認し易い状態となる。従って、可変表示装置３４が回転駆動されることにより、可変表示装置３４の表示部７６の表示内容と、表示パネル８０の表示部８１の表示内容と、を同調又は調和させた演出を行うことができる。
【０１５５】
［第３実施形態］
次に、本発明の第３実施形態の遊技機について、図１６及び図１７に基づいて説明する。本実施形態では、第１実施形態の装飾板６５の開口部７３を下方向により広く形成し、装飾板６５の開口部８３内面の下部に表示パネル８０を設け、後板部材８６の後面に鏡面部８２を設けたものである。このため、第１実施形態と共通する構成については、その詳細な説明を省略する。
【０１５６】
図１６及び図１７に示すように、装飾板６５は、その略中央部に３つの略矩形状の開口部８３が略均等に第１実施形態の開口部７３より下方向に広く形成されている。
【０１５７】
複数の表示パネル８０は、表示部７６が上方向を向き且つ開口部８３内面の下部と略平行な状態となるように、表示パネル８０の前面と表示パネル８０下面とが前部装飾板部材６４の後面と装飾板６５の開口部８３内面の下部とに着脱自在に固定されている。遊技者は、前部装飾板部材６４に隠された表示パネル８０を直接視ることができない。なお、複数の表示パネル８０と主制御装置１３とは、図示しない配線によって電気的に接続されている。
【０１５８】
後板部材８６の後面には、光を反射する鏡面部８２が設けられている。
【０１５９】
上記構成では、可変表示装置３４が回転駆動されて、鏡面部８２が前方下方向を向いた状態となったとき、遊技者は、表示パネル８０に表示される表示内容を鏡面部８２の反射によって視認することができる。従って、可変表示装置３４が回転駆動されることにより、可変表示装置３４の表示部７６の表示内容と、鏡面部８２によって反射された表示パネル８０の表示部８１の表示内容と、を同調又は調和させた演出を行うことができる。
【０１６０】
以上、本発明者によってなされた発明を適用した実施形態について説明したが、この実施形態による本発明の開示の一部をなす論述及び図面により本発明は限定されることはない。すなわち、この実施形態に基づいて当業者等によりなされる他の実施形態、実施例及び運用技術等は全て本発明の範疇に含まれることは勿論であることを付け加えておく。
【図面の簡単な説明】
【０１６１】
【図１】本発明の第１実施形態となる遊技機の外観斜視図である。
【図２】図１に示す遊技機の背面斜視図である。
【図３】図１に示す遊技機の前面斜視図ある。
【図４】図１に示す遊技機の背面図である。
【図５】図１に示す遊技機の分解斜視図である。
【図６】図１に示す遊技機の中央構造物の概略正面図である。
【図７】図６のＡ−Ａ’線に沿った中央構造物の概略側断面図である。
【図８】図６のＢ−Ｂ’線に沿った中央構造物の概略側断面図である。
【図９】図６のＣ方向から視た可変表示部の概略上面図である。
【図１０】ブラシの電気的接続を示す模式図である。
【図１１】図１に示す遊技機の電気的構成を示すブロック図である。
【図１２】図１に示す遊技機の光通信を行う電気的構成を示すブロック図である。
【図１３】本発明の第１実施形態によるリーチ演出の一例を示す可変表示装置３４の概略正面図である。
【図１４】本発明の第２実施形態となる中央構造物の概略正面図である。
【図１５】図１４のＡ−Ａ’線に沿った中央構造物の概略側断面図である。
【図１６】本発明の第３実施形態となる中央構造物の概略正面図である。
【図１７】図１７のＡ−Ａ’線に沿った中央構造物の概略側断面図である。
【符号の説明】
【０１６２】
７…遊技盤、１３…主制御装置（制御手段）、１３ａ…ＣＰＵ、１３ｂ…ＲＯＭ、１３ｃ…ＲＡＭ、１４…副制御装置、１４ａ…図柄制御装置（表示制御手段）、１７ｄ…表示体回転駆動装置（駆動手段）、３１…遊技領域、３４…可変表示装置（表示装置）、３５…ＬＥＤ表示装置、５０…ビデオ・ディスプレイ・プロセッサ（ＶＤＰ、表示制御手段）、５２…盤面、６１…中央構造物、６２…構造物本体、６３…前板部材、６４…前部装飾板部材、６５…装飾板、６６…側壁部、６７…後壁部、６８…フォトダイオード（送信手段）、６９…回転軸、７０…ブラシ、７１…軸受け、７２…固定穴、７３…開口部、７４…表示体、７５…フォトトランジスタ（受信手段）、７６…表示部、７７…制御基板（表示制御手段）、７８…側面部、７９…上面部、８０…表示パネル、８１…表示部、８２…鏡面部、８３…開口部、８４…可変表示部、８５…枠部材、８６…後板部材、８７…基板収納部
【図１】
2006212094.tif 000003
【図２】
2006212094.tif 000004
【図３】
2006212094.tif 000005
【図４】
2006212094.tif 000006
【図５】
2006212094.tif 000007
【図６】
2006212094.tif 000008
【図７】
2006212094.tif 000009
【図８】
2006212094.tif 000010
【図９】
2006212094.tif 000011
【図１０】
2006212094.tif 000012
【図１１】
2006212094.tif 000013
【図１２】
2006212094.tif 000014
【図１３】
2006212094.tif 000015
【図１４】
2006212094.tif 000016
【図１５】
2006212094.tif 000017
【図１６】
2006212094.tif 000018
【図１７】
2006212094.tif 000019